(57)【要約】【課題】対象物がプラスチックや曲面である場合にも正確に且つ綺麗に押印することができる押印補助具を提供する。【解決手段】押印補助具１は、平面視矩形状の板体２からなり、板面には形状の異なる複数の窓孔３…が形成されている。板体２は、縦６６ｍｍ、横８６ｍｍ、厚さ５ｍｍとされ、各コーナー部２ａはアールになっている。また、各窓孔３の形状は、使用するゴム印とほぼ同形状とされている。板体２は、軟質塩化ビニル系樹脂で形成されており、押印補助具１が対象物に沿う形で密着する。このため、対象物がプラスチックや曲面である場合にも印面が滑らず、正確且つ綺麗に押印することができる。【選択図】図１
0003136580.tif 000002
【実用新案登録請求の範囲】
【請求項１】
柔軟な板体からなり、印鑑が嵌入する窓孔が板面に複数形成されていることを特徴とする押印補助具。
【請求項２】
前記板体は軟質樹脂から形成されていることを特徴とする請求項１に記載の押印補助具。
【請求項３】
前記軟質樹脂は軟質塩化ビニル系樹脂であることを特徴とする請求項２に記載の押印補助具。
【考案の詳細な説明】
【技術分野】
【０００１】
本考案は、所定の位置に正確に押印するための押印補助具に関する。
【背景技術】
【０００２】
洋数字や英文字等が刻印されたゴム印を所定の位置に押印（捺印）する際に、位置がずれたり配列が乱れて正確に押印できないことがよくある。このため、特許文献１では、ゴム印を複数収納すべく成した収納部分に、捺印の位置配列規制用の窓孔を穿設せしめた定規部分を偏角回動自在に取付けた捺印窓孔付ゴム印収納ケースの考案が開示されている。
【０００３】
また、特許文献２では、板状とされ、印鑑が嵌入する窓孔が板面に複数形成されたガイド体と、前記ガイド体に装着され、棒状物を挟持する一対の挟持部材とからなる押印補助具の考案が開示されている。本考案では、ガイド体に装着した一対の挟持部材に、円形または多角形の断面を有するクレヨンや鉛筆等の棒状物を挟持させることで、棒状物が動かないようにしたうえで、ガイド体に形成された窓孔から棒状物に押印することができる。
【特許文献１】実開平２−８５１６９号公報
【特許文献２】実用新案登録第３１３３２３０号公報
【考案の開示】
【考案が解決しようとする課題】
【０００４】
しかしながら、従来の押印補助具を用いてプラスチックに押印しようとすると、インク吸収性の無いプラスチックと印面との間に液体であるインクが滲入し、印面が滑るという問題があった。加えて、弁当箱や水筒などのプラスチック成型品の場合、微妙な曲面が多く、正確な押印が難しいという問題もある。
【０００５】
本考案は、上述する問題点に鑑みてなされたもので、対象物がプラスチックや曲面である場合にも正確且つ綺麗に押印することができる押印補助具を提供することを目的とする。
【課題を解決するための手段】
【０００６】
上記目的を達成するため、本考案に係る押印補助具は、柔軟な板体からなり、印鑑が嵌入する窓孔が板面に複数形成されていることを特徴としている。
ここで、上記印鑑は、実印や銀行印、認印等に使用される通常の印鑑のみならず、ゴム印やシヤチハタ（登録商標）等を含むものとする。
本考案では、柔軟な板体を用いて押印補助具を形成することにより、押印補助具が対象物に沿う形で密着する。このため、対象物がプラスチックや曲面である場合にも印面が滑らず、正確且つ綺麗に押印することができる。
【０００７】
また、本考案に係る押印補助具では、前記板体が軟質樹脂から形成されていることを好適とし、軟質樹脂としては、軟質塩化ビニル系樹脂を用いることができる。
曲げ弾性率が７００ｋｇｆ／ｃｍ２より小さい合成樹脂を軟質樹脂と称し、軟質塩化ビニル系樹脂、軟質ポリエチレン樹脂、軟質ポリプロピレン樹脂等が含まれる。なかでも軟質塩化ビニル系樹脂は、透明性や光沢に優れ、伸びや引き裂きに強く、柔軟でしなやかであるという利点を有している。
【考案の効果】
【０００８】
本考案では、柔軟な板体を用いて押印補助具を形成することにより、押印補助具が対象物に沿う形で密着する。このため、対象物がプラスチックや曲面である場合にも印面が滑らず、正確且つ綺麗に押印することができる。
【考案を実施するための最良の形態】
【０００９】
以下、本考案に係る押印補助具の実施形態について図面に基づいて説明する。
図１および図２に、本考案に係る押印補助具の一実施形態を示す。
本押印補助具１は、平面視矩形状の板体２からなり、板面には形状の異なる複数の窓孔３…が形成されている。板体２は、縦６６ｍｍ、横８６ｍｍ、厚さ５ｍｍとされ、各コーナー部２ａはアールになっている。また、各窓孔３の形状は、使用するゴム印（印鑑）とほぼ同形状とされている。
【００１０】
さらに、板体２の板面には、格子状のライン４が窓孔３と平行に印刷されており、押印位置に所定の窓孔３をセットする際、ライン４を利用すれば、対象物に対して窓孔３が傾くことがない。
【００１１】
板体２は、透明で柔軟な軟質塩化ビニル系樹脂で形成されている。
軟質塩化ビニル系樹脂は、塩化ビニル系樹脂に可塑剤を４０〜１００部添加して柔軟性を付与したものである。可塑剤としては、フタル酸エステルが一般に使用される。一方、塩化ビニル系樹脂としては、ポリ塩化ビニルのホモポリマーでもよく、酢酸ビニルやエチレンとのコポリマーでもよい。
軟質塩化ビニル系樹脂は、柔軟性に加えて耐薬品性・耐候性に優れ、加工が容易であるうえ、他のプラスチックと比べて安価であるという利点を備えている。
【００１２】
次に、本考案に係る押印補助具を用いてプラスチックからなる対象物上に押印する方法について説明する。
図３は、本考案に係る押印補助具１の使用方法を説明するための断面図であり、（ａ）は対象面が凸面の場合、（ｂ）は対象面が凹面の場合である。
所定の窓孔３が押印位置に来るように、プラスチックからなる対象物Ｐの上に押印補助具１を載置する。この際、板体２の板面に印刷された格子状のライン４を利用すれば、正確な位置に窓孔３をセットすることができる。そして、窓孔３にゴム印Ｓを挿入し、対象物Ｐに押印すればよい。
本押印補助具１の場合、板体２が軟質塩化ビニル系樹脂で形成されているので、図３に示すように、押印補助具１が対象物Ｐに沿う形で密着する。これにより、ゴム印Ｓの印面とインク吸収性のない対象物Ｐとの間にインクが滲入せず、印面が滑ることが無い。
【００１３】
本考案に係る押印補助具１では、軟質塩化ビニル系樹脂を用いて板体２を形成しているので、押印補助具１が対象物Ｐに沿う形で密着する。このため、対象物Ｐがプラスチックや曲面である場合にも印面が滑らず、正確且つ綺麗に押印することができる。
【００１４】
以上、本考案に係る押印補助具の実施形態について説明したが、本考案は上記の実施形態に限定されるものではなく、その趣旨を逸脱しない範囲で適宜変更可能である。例えば、上記実施形態では、押印補助具の形状を平面視矩形状としたが、円形や雲形など如何なる形状でも良く、また、窓孔の数や大きさ・形状なども印鑑に合わせて適宜変更できることは言うまでもない。さらにまた、上記実施形態では、押印補助具を軟質塩化ビニル系樹脂製としたが、これに限るものではなく、柔軟な板体が形成できる素材であればよい。要は、本考案において所期の機能が得られればよいのである。
【図面の簡単な説明】
【００１５】
【図１】本考案に係る押印補助具の一実施形態を示す斜視図である。
【図２】同、平面図である。
【図３】本考案に係る押印補助具の使用方法を説明するための断面図であり、（ａ）は対象面が凸面の場合、（ｂ）は対象面が凹面の場合である。
【符号の説明】
【００１６】
１  押印補助具
２  板体
２ａ  コーナー部
３  窓孔
４  ライン
Ｐ  対象物
Ｓ  ゴム印
【図１】
0003136580.tif 000003
【図２】
0003136580.tif 000004
【図３】
0003136580.tif 000005